(57)【要約】  【課題】  防水板が長尺となっても収納がしやすく、設置場所への搬送や設置作業性に優れた防水板を提供する。  【解決手段】  建物などの入口開口部を遮断する複数枚からなる所定長さのアルミ製中空パネル構造の防水板本体３ａ、３ｂから成り、この防水板本体３ａ、３ｂの側縁部同士を隣り合わせに直列に配置して蝶番にて折畳み自在に連結すると共に、前記防水板本体３ａ、３ｂの前記蝶番側の側縁部には水密ゴム８を固着する。また、前記各防水板本体３ａ、３ｂを直線状に展開した状態から折畳み方向への回動を防止する固定金具９を備える。そして、前記固定金具９にて前記各防水板本体３ａ、３ｂを展開状態に固定したときには、前記各防水板本体３ａ、３ｂの側縁部にて前記水密ゴム８を押圧して弾性変形させることで各防水板本体３ａ、３ｂの隙間を水密状に閉塞する構成とする。【選択図】  図１
0003214872.tif 000002
【実用新案登録請求の範囲】
【請求項１】
増水時に建物などの入口開口部から内部へ浸水するのを防止する防水板であって、前記入口開口部を遮断する複数枚からなる所定長さのアルミ製中空パネル構造の防水板本体から成り、該防水板本体の上縁部には搬送用の取手を固着し、前記各防水板本体の側縁部同士を隣り合わせに直列に配置して蝶番にて折畳み自在に連結すると共に、前記各防水板本体の前記蝶番側の側縁部には水密ゴムを固着し、前記各防水板本体を直線状に展開した状態から折畳み方向への回動を防止する固定金具を備え、該固定金具にて前記各防水板本体を展開状態に固定したときには前記各防水板本体の側縁部にて前記水密ゴムを押圧して弾性変形させることで前記各防水板本体の隙間を水密状に閉塞する構成としたことを特徴とする防水板。
【請求項２】
前記各防水板本体を折り畳み状態としたときに当接し合う各防水板本体の板面には各防水板本体が展開するのを防止する磁石を固着したことを特徴とする請求項１記載の防水板。
【考案の詳細な説明】
【技術分野】
【０００１】
本考案は、台風や集中豪雨等による増水発生時に、地下道や建物等の構造物の入口から構造物内部へ浸水するのを防止する防水板に関する。
【背景技術】
【０００２】
台風や集中豪雨等によって増水が発生すると、地下道や建物等の構造物の入口の床面を水位が超えてしまう場合があり、その際には前記構造物内部が浸水するなどして甚大な被害を及ぼすおそれがある。そこで、このような事態に備えて、例えば、地下道や建物等の構造物の入口開口部近傍に浸水防止用の防水板を収納しておき、増水が発生したときには前記防水板を収納場所より取り出して入口開口部に搬送・設置して浸水を阻止するようにしたものがあり、このような防水板に関して本出願人も既に特許出願済みである（特許文献１参照）。
【先行技術文献】
【特許文献】
【０００３】
【特許文献１】特開２００５−２６４４号公報
【考案の概要】
【考案が解決しようとする課題】
【０００４】
しかしながら、上記従来の防水板では、建造物の入口開口部の間口寸法に応じて防水板の長さを設定するので、例えば、前記入口開口部の間口寸法が広くなると防水板も長尺となり、場合によっては防水板の収納場所の確保が難しくなると共に、設置場所への防水板の搬送や設置作業性が低下する可能性がある。
【０００５】
本考案は上記の点に鑑み、防水板が長尺となっても収納がしやすく、設置場所への搬送や設置作業性に優れた防水板を提供することを課題とする。
【課題を解決するための手段】
【０００６】
上記の課題を解決するために、本考案に係る請求項１記載の防水板では、増水時に建物などの入口開口部から内部へ浸水するのを防止する防水板であって、前記入口開口部を遮断する複数枚からなる所定長さのアルミ製中空パネル構造の防水板本体から成り、該防水板本体の上縁部には搬送用の取手を固着し、前記各防水板本体の側縁部同士を隣り合わせに直列に配置して蝶番にて折畳み自在に連結すると共に、前記各防水板本体の前記蝶番側の側縁部には水密ゴムを固着し、前記各防水板本体を直線状に展開した状態から折畳み方向への回動を防止する固定金具を備え、該固定金具にて前記各防水板本体を展開状態に固定したときには前記各防水板本体の側縁部にて前記水密ゴムを押圧して弾性変形させることで前記各防水板本体の隙間を水密状に閉塞する構成としたことを特徴としている。
【０００７】
また、請求項２記載の防水板では、前記各防水板本体を折り畳み状態としたときに当接し合う各防水板本体の板面には各防水板本体が展開するのを防止する磁石を固着したことを特徴としている。
【考案の効果】
【０００８】
本考案に係る請求項１記載の防水板によれば、入口開口部を遮断する複数枚からなる所定長さのアルミ製中空パネル構造の防水板本体から成り、該防水板本体の上縁部には搬送用の取手を固着し、前記各防水板本体の側縁部同士を隣り合わせに直列に配置して蝶番にて折畳み自在に連結すると共に、前記各防水板本体の前記蝶番側の側縁部には水密ゴムを固着し、前記各防水板本体を直線状に展開した状態から折畳み方向への回動を防止する固定金具を備え、該固定金具にて前記各防水板本体を展開状態に固定したときには前記各防水板本体の側縁部にて前記水密ゴムを押圧して弾性変形させることで前記各防水板本体の隙間を水密状に閉塞する構成としたので、防水板が長尺となってもコンパクトに折畳めて収納スペースを抑えられると共に、折り畳んだ状態であれば例え作業者が一人でも設置場所へ防水板を比較的楽に搬送・設置できる。また、連結した前記各防水板本体を展開状態とした際に、前記固定金具にて固定すれば各防水板本体の隙間を水密ゴムで閉塞でき、折り畳み構造ながらも連結部分からの漏水等の不具合なく好適に使用できる。
【０００９】
また、請求項２記載の防水板によれば、前記各防水板本体を折り畳み状態としたときに当接し合う各防水板本体の板面には各防水板本体が展開するのを防止する磁石を固着したので、防水板を搬送する際に不用意に展開してしまうことがなく、また設置時にはワンタッチで展開でき、搬送・設置作業を効率よく行える。
【図面の簡単な説明】
【００１０】
【図１】本考案に係る防水板を建物等の構造物入口に設置した状態の一実施例を示す斜視図である。
【図２】本考案に係る防水板の展開状態を示す正面図である。
【図３】本考案に係る防水板の展開状態を示す正面側斜視図である。
【図４】図３の背面側斜視図である。
【図５】本考案に係る防水板の折畳み状態を示す斜視図である。
【図６】図２のＡ−Ａ断面拡大図である。
【考案を実施するための形態】
【００１１】
本考案に係る防水板にあっては、建物などの入口開口部を遮断する複数枚からなる所定長さの防水板本体にて構成する。なお、例えば、前記防水板を二枚の防水板本体にて構成する場合には、前記各防水板本体の長さを前記入口開口部を二等分した長さ程度に形成すると良い。これにより、同じ長さ・構造の防水板本体を複数用意すればよくて製造コストを抑えられると共に、後述するように、防水板を折り畳み状態としたときには最もコンパクト化できて好ましい。
【００１２】
前記防水板本体には、多量の流水による水圧にも耐え得る十分な強度を有しかつ軽量な、例えばアルミ合金からの押し出し成型にて形成されるアルミ合金製中空パネル構造のものを採用する。また、前記各防水板本体の上縁部には作業者が搬送・設置作業時に把持する取手を固着する。
【００１３】
また、前記各防水板本体の側縁部同士を隣り合わせに直列に配置して蝶番にて折畳み自在に連結する。なお、前記蝶番は、前記防水板を入口開口部に設置した際に建物内方に面する内面側に取り付けると、増水時に外面側から水圧がかかっても各防水板本体を折り畳み方向ではなく直線状に展開させる方向に押圧することになって強度的に都合が良い。
【００１４】
また、前記各防水板本体の前記蝶番側の側縁部には水密ゴムを固着すると共に、前記各防水板本体を直線状に展開した状態から折畳み方向への回動を防止する固定金具を備え、該固定金具にて前記各防水板本体を展開状態に固定したときには前記各防水板本体の側縁部にて前記水密ゴムを挟み込むように押圧して弾性変形させることで前記各防水板本体の隙間を水密状に閉塞する構成とする。
【００１５】
また、好ましくは、前記各防水板本体を折り畳み状態としたときに当接し合う各防水板本体の板面には、各防水板本体が展開するのを防止する磁石を固着する。これにより、作業者が防水板を搬送する際に不用意に展開してしまうのを防止できると共に、設置時にはワンタッチで展開でき、搬送・設置作業を効率よく行えて好適である。
【００１６】
このように、本考案の防水板では、建物などの入口開口部を遮断する複数枚からなる所定長さの防水板本体を蝶番にて折畳み自在に連結した構成としたことにより、例え入口開口部の広さに応じて防水板が長尺構造となっても収納時には折畳んでコンパクトにでき、収納スペースの確保がし易い。また、折り畳んだ状態とすることにより、作業者が例え一人でも防水板を設置場所まで比較的楽にかつ迅速に搬送して設置でき、緊急時にも好適に対応できる。
【実施例】
【００１７】
以下、本考案の一実施例を図面に基づいて説明する。
【００１８】
図中の１は本考案に係る防水板であって、図１に示すように、地下道、建物などの入口開口部の両側壁面に対向させて立設した一対の溝付き支柱Ｘに対して前記防水板１を差し込んだ後、螺子体等の押圧具Ｙによる締め付け操作に伴い、前記防水板１の両端部を前記溝付き支柱Ｘの内壁面に押圧して密着させることで前記入口開口部を遮断して閉鎖するようにしている。
【００１９】
前記防水板１は、アルミ合金からの押し出し成型にて形成される、例えば、前記入口開口部の間口広さが約２ｍ程度であれば、その半分程度の長さの約１ｍ程度、高さ約０．２ｍ程度の断面略凹字形状の中空パネル２を主体とし、増水時に予想される水位に対応可能なように前記中空パネル２を上下方向に複数（本実施例では三枚）連結して成る一対の防水板本体３ａ、３ｂにて構成している。
【００２０】
また、前記各防水板本体３ａ、３ｂの上縁部には作業者が搬送・設置作業時に把持する取手４を固着していると共に、前記各防水板本体３ａ、３ｂの側縁部同士を隣り合わせに直列に配置して蝶番５にて折畳み自在に連結している。なお、前記蝶番５は、防水板１を建物の入口開口部に設置した際に建物内方に面する内面側に取り付けており、増水時に外面側から水圧がかかった場合に、各防水板本体３ａ、３ｂを折畳み方向ではなく直線状に展開させる方向に押圧するようにしている。
【００２１】
また、前記各防水板本体３ａ、３ｂの下縁部、及び防水板１を前記溝付き支柱Ｘに差し込んで押圧具Ｙにて締め付け操作した際に溝付き支柱Ｘの内壁面と当接する両端部には水密ゴム６、７をそれぞれ固着している。また、前記各防水板本体３ａ、３ｂのうち少なくとも何れか一方の前記蝶番５側の側縁部にも水密ゴム８を固着している。
【００２２】
図中の９は、前記蝶番５にて連結した前記各防水板本体３ａ、３ｂを直線状に展開した状態から折畳み方向への回動を防止する固定金具であって、一方の前記防水板本体３ａの一端側に回動自在に軸支した掛け金具１０と、隣り合う他方の前記防水板本体３ｂの一端側に固着した受け金具１１にて構成している。そして、前記掛け金具１０を前記受け金具１１に掛け止めることで各防水板本体３ａ、３ｂを展開状態に固定したときには、前記各防水板本体３ａ、３ｂの側縁部にて前記水密ゴム８を挟み込むように押圧して弾性変形させることにより、前記各防水板本体３ａ、３ｂの隙間を水密状に閉塞可能としている。
【００２３】
また、前記各防水板本体３ａ、３ｂを折り畳み状態としたときに当接し合う各防水板本体３ａ、３ｂの板面には磁石１２ａ、１２ｂをそれぞれ固着している。そして、図５に示すように、前記各防水板本体３ａ、３ｂを折り畳んだ状態としたときには前記各磁石１２ａ、１２ｂが磁着し、例えば作業者が前記防水板１を収納・搬送する際に各防水板本体３ａ、３ｂが不用意に展開しないようにしていると共に、設置する際にはワンタッチで展開可能としている。
【００２４】
そして、平常時には、前記防水板１は地下道、建物等の入口開口部付近に用意した所定の収納場所に前記各防水板本体３ａ、３ｂを折り畳んだ状態で収納しておく。このとき、前記防水板１は折り畳んでコンパクト化しているため、さほど広い収納スペースを要しない。
【００２５】
また、台風、集中豪雨等による増水発生時に、前記防水板１を用いて前記入口開口部からの浸水を防止するときには、作業者は先ず、折畳んだ状態で収納している防水板１の取手４を把持し、折畳んだ状態のまま収納場所から設置場所である前記入口開口部まで搬送する。このとき、前記防水板１の各防水板本体３ａ、３ｂは、それぞれの板面に固着した各磁石１２ａ、１２ｂが磁着していることにより、搬送中に不用意に展開するようなことはない。
【００２６】
次いで、前記各防水板本体３ａ、３ｂの磁石１２ａ、１２ｂを引き離し、前記蝶番５を中心に、一方の防水板本体３ａに対して他方の防水板本体３ｂを１８０度回動させて直線状に展開させた後、固定金具９の掛け金具１０を回動させて受け金具１１に掛け止め、各防水板本体３ａ、３ｂを展開状態にて固定する。そして、前記展開状態の防水板１の両端部を前記溝付き支柱Ｘの溝部に差し込み、押圧具Ｙを締め付け操作することで防水板１の設置を完了する。
【００２７】
なお、本実施例では防水板１を二枚の防水板本体３ａ、３ｂにて構成したが、必ずしもこれに限定されるものではなく、建物の入口開口部の広さや収納スペース、作業者の搬送・設置作業性等を考慮しつつ、例えば三枚或いはそれ以上の枚数の防水板本体にて構成するようにしても良い。その場合、前記同様に、各防水板本体の側縁部同士を隣り合わせに直列に配置して蝶番にて折畳み自在に連結すると良い
【符号の説明】
【００２８】
１…防水板                      ２…アルミ製中空パネル
３ａ、３ｂ…防水板本体          ４…取手
５…蝶番                        ６、７、８…水密ゴム
９…固定金具                    １０…掛け金具（固定金具）
１１…受け金具（固定金具）      １２ａ、１２ｂ…磁石
【図１】
0003214872.tif 000003
【図２】
0003214872.tif 000004
【図３】
0003214872.tif 000005
【図４】
0003214872.tif 000006
【図５】
0003214872.tif 000007
【図６】
0003214872.tif 000008